(57)【要約】【課題】組立中に生成される粉塵を効果的に低減し、組立中の粉塵のない製造の容易なレンズモジュールを提供する。【解決手段】１つ以上の第１アセンブリ部分を有するレンズホルダと、レンズホルダの第１アセンブリ部分に対応する１つ以上の第２アセンブリ部分を有するレンズ筒と、を備えるレンズモジュールを提供する。第１アセンブリ部分及び第２アセンブリ部分は互いに組み合わされる１対の共軸シリンダであり、互いの間に微小間隙を有する。レンズ筒の共軸シリンダを回転することによって、レンズ筒の共軸シリンダがレンズホルダの共軸シリンダへ固定されてレンズ筒及びレンズホルダを固定するように、微小間隙が絞り込まれる。【選択図】      図１
2007323048.tif 000002
【特許請求の範囲】
【請求項１】
１つ以上の第１アセンブリ部分を有するレンズホルダと、
レンズホルダの第１アセンブリ部分に対応する１つ以上の第２アセンブリ部分を有するレンズ筒と、
第１アセンブリ部分及び第２アセンブリ部分は互いの間に微小間隙を有し、互いに組み合わされる１対の共軸シリンダであることと、
レンズ筒の共軸シリンダを回転することによって、レンズ筒の共軸シリンダがレンズホルダの共軸シリンダへ固定されてレンズ筒及びレンズホルダを固定するように、微小間隙が絞り込まれることと、からなるレンズモジュール。
【請求項２】
レンズホルダの共軸シリンダを回転することによって、レンズホルダの共軸シリンダがレンズ筒の共軸シリンダへ固定されてレンズ筒及びレンズホルダを固定するように、レンズモジュールの微小間隙が絞り込まれることを含む請求項１に記載のレンズモジュール。
【請求項３】
レンズ筒はレンズ群を含む請求項１又は２に記載のレンズモジュール。
【請求項４】
レンズホルダの底部は撮像モジュールの配置された基部を有する請求項１又は２に記載のレンズモジュール。
【請求項５】
共軸シリンダの第１アセンブリ部分は凸部であり、共軸シリンダの第２アセンブリ部分は凹部である請求項１に記載のレンズモジュール。
【請求項６】
共軸シリンダの第１アセンブリ部分は凹部であり、共軸シリンダの第２アセンブリ部分は凸部である請求項１に記載のレンズモジュール。
【発明の詳細な説明】
【技術分野】
【０００１】
本発明はレンズモジュールに関する。より詳細には、本発明は容易に調整可能な固定焦点距離タイプのレンズモジュールに関する。
【背景技術】
【０００２】
今日では、多様な電子製品の出現によって、人々の生活は、より快適な、より便利なものとなっている。しかしながら、消費者は電子製品により高い製品歩留り及び品質を期待しており、製造業者は競争力を高めるように製造コストを削減する必要がある。
【０００３】
図４には、従来のレンズモジュールを示す。このレンズモジュールでは、従来のレンズ筒１０’の外縁部に、ねじ山３０が配されている。ねじ山３０は従来のレンズホルダ２０’の内部に螺合され、レンズモジュールを形成する。しかしながら、螺合中、レンズ筒がレンズホルダの中へ回転することによって生じる摩擦により、粉塵が生成する。この粉塵は、小型化されたレンズモジュールの撮像品質に大きな影響を及ぼす。多量の粉塵が生成される場合には、製品の有効性に影響を与えることもある。また、コンポーネントの小型化のため、小型化されたレンズモジュールを回転、螺合して組み合わせるには、相当な労力が必要である。
【０００４】
要約すると、競争力の増加に応じて、製造の容易なレンズモジュールを高い製品歩留りで得るために、組立中に生成される粉塵を効果的に低減することが必要である。
従来の螺合技術が本来的に備える欠点のため、レンズ筒がレンズホルダの中へ回転することによって生じる摩擦により、粉塵が生成する。この粉塵は、小型化されたレンズモジュールの撮像品質に大きな影響を及ぼす。多量の粉塵が生成される場合には、製品の有効性に影響を与えることもある。また、コンポーネントの小型化のため、小型化されたレンズモジュールを回転、螺合して組み合わせるには、相当な労力が必要である。
【発明の開示】
【発明が解決しようとする課題】
【０００５】
上述の欠点を克服するには、組立中に生成される粉塵を効果的に低減し、組立中の粉塵のない製造の容易なレンズモジュールを得ることが必要である。本発明では、レンズ筒及びレンズホルダの構造を改良することによって、レンズモジュールの組立及び接続を容易とする。また、レンズモジュールを回転することによって、レンズ筒とレンズホルダとの間の間隙が絞り込まれ、これによってレンズモジュールを固定する。
【課題を解決するための手段】
【０００６】
本発明では、１つ以上の第１アセンブリ部分を有するレンズホルダと、レンズホルダの第１アセンブリ部分に対応する１つ以上の第２アセンブリ部分を有するレンズ筒と、を備えるレンズモジュールを提供する。第１アセンブリ部分及び第２アセンブリ部分は互いに組み合わされる１対の共軸シリンダであり、互いの間に微小間隙を有する。レンズ筒の共軸シリンダを回転することによって、レンズ筒の共軸シリンダがレンズホルダの共軸シリンダへ固定されてレンズ筒及びレンズホルダを固定するように、微小間隙が絞り込まれる。
【０００７】
好適には、レンズホルダの共軸シリンダを回転することによって、レンズホルダの共軸シリンダがレンズ筒の共軸シリンダへ固定されてレンズ筒及びレンズホルダを固定するように、レンズモジュールの微小間隙が絞り込まれる。
【０００８】
好適には、レンズ筒はレンズ群を含む。
好適には、レンズホルダの底部は撮像モジュールの配置された基部を有する。
好適には、共軸シリンダの第１アセンブリ部分は凸部であり、共軸シリンダの第２アセンブリ部分は凹部である。
【０００９】
好適には、共軸シリンダの第１アセンブリ部分は凹部であり、共軸シリンダの第２アセンブリ部分は凸部である。
【発明の効果】
【００１０】
要約すると、本発明では、レンズモジュール組立中にレンズモジュールのアセンブリ部分によって生じる粉塵の問題が克服される。また、本発明によって、レンズモジュールの組立工程が非常に単純化される。
【発明を実施するための最良の形態】
【００１１】
図１，図２には、レンズモジュール１を示す。レンズモジュール１は、レンズ筒１０及びレンズホルダ２０を一体に組み合わせることによって形成される。
レンズホルダ２０は、基部２５と、基部２５に配置されたレンズホルダシリンダ２６とを備える。基部２５は撮像モジュール２７及び対応する配線配置を収容することが可能である。レンズホルダシリンダ２６の内壁面２１は、内壁面に沿って複数の内部凹構造２２と、締めしろ領域２３とを備える。内部凹構造２２及び締めしろ領域２３は第２アセンブリ部分２０ａを形成する。
【００１２】
レンズ筒１０はレンズ筒シリンダ１６及びレンズ部品１７を備える。レンズ筒シリンダ１６は、レンズホルダ２０のレンズホルダシリンダ２６に対応し、レンズホルダシリンダ２６へ組み合わされることが可能である。レンズ筒シリンダ１６はレンズ部品１７の周囲を覆っている。レンズ筒シリンダ１６の外壁面１１は、外壁面に沿って突出している複数の外部凸構造１２と、締めしろ領域１３とを備える。外部凸構造１２及び締めしろ領域１３は、それぞれ、レンズホルダシリンダ２６の内壁面２１に配置された内部凹構造２２及び締めしろ領域２３に対応する。複数の外部凸構造１２及び締めしろ領域１３は、第１アセンブリ部分１０ａを形成する。
【００１３】
レンズ筒１０及びレンズホルダ２０は互いに組み合わされた共軸シリンダ（１６，２６）であり、２つの共軸シリンダ（１６，２６）の間には微小間隙が配置されている。レンズ筒１０及びレンズホルダ２０は、レンズホルダ２０の第２アセンブリ部分２０ａがレンズ筒１０の第１アセンブリ部分１０ａに対応して組み合わされる（図３を参照）ように、共軸の間隙に沿って一体に組み合わされる。組立工程後、レンズ筒１０の共軸シリンダ１６を回転することによって、締めしろ領域（１３，２３）間の微小間隙の絞り込み作用により、レンズホルダ２０の第２アセンブリ部分２０ａ及びレンズ筒１０の第１アセンブリ部分１０ａが一体に組立てられる。レンズ筒１０の共軸シリンダ１６がレンズホルダ２０の共軸シリンダ２６へ固定されることによって、レンズ筒１０及びレンズホルダ２０を固定する（図３のＢを参照）。このように、本発明は組立工程を非常に単純化し、組立工程中の粉塵の問題を軽減する。
【００１４】
なお、組立工程中、レンズホルダ２０の共軸シリンダ２６を回転することによって、締めしろ領域（１３，２３）間の微小間隙の絞り込み作用により、レンズホルダ２０の第２アセンブリ部分２０ａがレンズ筒１０の第１アセンブリ部分１０ａに対応して組み合わされることは注目される。レンズホルダ２０の共軸シリンダ２６がレンズ筒１０の共軸シリンダ１６へ固定されることによって、レンズ筒１０及びレンズホルダ２０を固定する（図３のＢを参照）。このように、本発明は組立工程を非常に単純化し、組立工程中の粉塵の問題を軽減する。
【００１５】
また、第２アセンブリ部分２０ａが第１アセンブリ部分１０ａに対応して組み合わされ、それによって形状変化におけるそれらの部分の対応関係を固定することは注目される。例えば、レンズホルダ２０の内部凹構造２２は外部凸構造として設計され、レンズ筒１０の外部凸構造１２がその外部凸構造に対応する内部凹構造として設計されることが可能であり、任意の組み合わせが設計され得る。換言すると、これらの構造は、レンズホルダ２０及びレンズ筒１０を回転するとき、レンズホルダ２０及びレンズ筒１０がアセンブリ部分の締めしろ領域によって一体に組み合わされるように、互いに対応するように組み合わせられ得る。
【図面の簡単な説明】
【００１６】
【図１】本発明のレンズモジュール組立品の概略図。
【図２】（Ａ）本発明のレンズ筒の概略図、（Ｂ）本発明のレンズホルダの概略図。
【図３】レンズホルダへのレンズ筒の固定の概略図。
【図４】従来のレンズモジュールの概略図。
【符号の説明】
【００１７】
１…レンズモジュール、１０…レンズ筒、１０ａ…第１アセンブリ部分、１６，２６…共軸シリンダ、２０…レンズホルダ、２０ａ…第２アセンブリ部分、２５…基部、２７…撮像モジュール。
【図１】
2007323048.tif 000003
【図２】
2007323048.tif 000004
【図３】
2007323048.tif 000005
【図４】
2007323048.tif 000006